(57)【要約】【課題】簡単な構成により四季を通じて確実に潜砂性二枚貝に餌料を供給することができ、しかも、潜砂性二枚貝の稚貝を継続して肥大成長させることができる潜砂性二枚貝の養殖方法及びそのための装置を提供する。【解決手段】海水、淡水又は汽水中において、粒状体を敷設し、この粒状体の表面に付着性微細藻類を繁殖させ、粒状体内に潜砂性二枚貝を収容し、付着性微細藻類を餌料とすることを特徴とする潜砂性二枚貝の養殖方法であり、上部開口の凹状部からなる収容部２と、この収容部２の底に敷設され、潜砂性二枚貝を収容すると共に、潜砂性二枚貝の餌料となる付着性微細藻類を表面で繁殖させるための粒状体３と、収容部２に海水、淡水又は汽水を供給するための給水部４と、海水、淡水又は汽水を排出するための排水部６とを備えることを特徴とする潜砂性二枚貝の養殖装置１ａによる。【選択図】  図１
2008092901.tif 000002
【特許請求の範囲】
【請求項１】
海水、淡水又は汽水中において、粒状体を敷設し、この粒状体の表面に付着性微細藻類を繁殖させ、前記粒状体内に潜砂性二枚貝を収容し、前記付着性微細藻類を餌料とすることを特徴とする潜砂性二枚貝の養殖方法。
【請求項２】
前記粒状体の深度は、前記潜砂性二枚貝の殻長の３倍〜５倍であることを特徴とする請求項１に記載の潜砂性二枚貝の養殖方法。
【請求項３】
前記海水、淡水又は汽水の水深は、０．５ｃｍ〜５ｃｍの範囲内であることを特徴とする請求項１又は請求項２に記載の潜砂性二枚貝の養殖方法。
【請求項４】
前記海水、淡水又は汽水の流速は、１ｃｍ／ｓ〜２５ｃｍ／ｓの範囲内であることを特徴とする請求項１乃至請求項３のいずれか１項に記載の潜砂性二枚貝の養殖方法。
【請求項５】
前記粒状体の表面に光を当てて、前記付着性微細藻類の繁殖を促進することを特徴とする請求項１乃至請求項４のいずれか１項に記載の潜砂性二枚貝の養殖方法。
【請求項６】
上部開口の凹状部からなる収容部と、前記収容部の底に敷設され、潜砂性二枚貝を収容すると共に、前記潜砂性二枚貝の餌料となる付着性微細藻類を表面で繁殖させるための粒状体と、前記収容部に海水、淡水又は汽水を供給するための給水部と、前記海水、淡水又は汽水を排出するための排水部とを備えることを特徴とする潜砂性二枚貝の養殖装置。
【請求項７】
前記収容部は、前記給水部から供給される海水、淡水又は汽水の水流を緩和するための緩衝壁を備えることを特徴とする請求項６に記載の潜砂性二枚貝の養殖装置。
【請求項８】
前記給水部は、給水量調整手段を備え、前記収容部における前記海水、淡水又は汽水の水深を、潜砂性二枚貝の水管の上端が水面に露出しない０．５ｃｍ〜５ｃｍに調整可能であることを特徴とする請求項６又は請求項７に記載の潜砂性二枚貝の養殖装置。
【請求項９】
前記収容部は、浮遊性微細藻類又は付着性微細藻類を繁殖させる栄養塩類あるいはこれらの組合せを前記海水、淡水又は汽水に供給するための供給設備を具備することを特徴とする請求項６乃至請求項８のいずれか１項に記載の潜砂性二枚貝の養殖装置。 
【発明の詳細な説明】
【技術分野】
【０００１】
本発明は、陸上における潜砂性二枚貝の養殖方法及びその装置に関する。
【背景技術】
【０００２】
従来、潜砂性二枚貝の生態については不明な点が多く、潜砂性二枚貝を商品として出荷できる大きさにまで成長させるには、一定の大きさにまで成長させた稚貝を自然の海域に移植又は放流していた。
しかしながら、このように潜砂性二枚貝を自然の海域に移植又は放流した場合、自然海域の波浪により養殖施設が破損したり、又は波浪により稚貝が散逸したり、あるいは捕食動物により稚貝が食害される等の理由により、稚貝の生存率が低くなってしまっていた。
また、上述のような被害が比較的少ない自然海域であっても、潜砂性二枚貝の成長に適する場所は限られており、潜砂性二枚貝を大量にかつ確実に肥大成長させることは極めて困難であった。
そこで、上述のような課題に対処するため、陸上における人為的な環境下において潜砂性二枚貝を養殖するための施設や方法に関する発明が開示されている。
【０００３】
以下に、従来技術に係る「二枚貝の育成施設」について説明する。
特許文献１に記載される「二枚貝の育成施設」は、潮位差の生じる場所に、満潮時には水没する水路を配備した半閉鎖系育成水域を構築し、この水路内に流れを強制的におこす手段と、培養した餌料生物を供給する手段とを有し、水路内を適正な餌料濃度に保つための餌料供給量の調整手段を設けたことを特徴とする二枚貝の育成施設である。
また、上述のような特許文献１に係る施設において、水路には、底に二枚貝の回収を容易にするシート等の底板を敷くのが望ましく、また、餌料生物の培養は、餌料藻類培養装置を設けて、あるいは、屋外水槽で行なってもよい。さらに、餌料供給量の調整は、水路内に流入する天然海水中の餌料藻類の流入量を加味して行うことが望ましい。
上記構成の特許文献１に記載される「二枚貝の育成施設」によれば、餌料藻類培養装置から供給される餌料生物を施設内に配置される水路を流れる水流によって、施設内に無駄なく拡散させることができるという効果を有する。
また、二枚貝の稚貝に供給する餌料は、餌料藻類培養装置にて培養するため冬季でも稚貝に十分な餌料を供給することが可能であり、この結果、冬季を含む長期間の間二枚貝を飼育することが可能である。
さらに、満潮時に海水が水路に流入することで天然餌料も二枚貝に供給することができるという効果を有する。また、水路の底に底板を敷設することで、養殖中の稚貝を容易に回収することができるという効果も有する。
【０００４】
また、特許文献２には「水産生物養殖方法」という名称で、藻類を培養しながら、軟体動物又は棘皮動物である水産生物の養殖を行う方法に関する発明が開示されている。
特許文献２に記載の「水産生物養殖方法」は、藻類の培養環境下に軟体動物又は棘皮動物をおき、藻類を培養しながらこの藻類を餌料として、軟体動物又は棘皮動物の養殖を行なうことを特徴とするものである。
特に、軟体動物が、アサリ、シジミ、ハマグリ、アワビなどの貝類に属するものであり、また、棘皮動物が、ウニ、ナマコ類に属するものである。また、藻類の培養環境下に濾過マットを敷設することが望ましい。
上記構成の特許文献２に係る方法によれば、養殖対象である軟体動物や棘皮動物と、これらの餌料となる藻類を同一の培養槽内において培養するため、水槽中において、養殖対象の水産生物に食べ残された藻類は、養殖対象である軟体動物や棘皮動物の排泄物を摂取しながら生存するので、結果として、培養槽内の水質浄化作用が発揮される。このため、培養槽内の水質管理を簡素化することができるという効果を有する。よって、養殖管理に係るコストを大幅に引き下げることができるという効果を有する。
また、培養環境下に濾過マットを敷設した場合には、特許文献２に係る方法で養殖した水産生物の体内に砂が混入する心配がなく、さらに、水産生物を天然物の約二倍の速さで成長させることができるという効果を有する。
しかも、水産生物に栄養分を豊富に含んだ餌料を供給することで、養殖管理中に、動脈硬化、脳血栓、心筋梗塞、老人性痴呆症などの予防に効果があるとされているエイコサペンタエン酸やドコサヘキサエン酸、水産生物の鮮度を長く保つ働きをする成分であるβ−カロチンを豊富に水産生物の体内に蓄積させることができるという効果も有する。
【０００５】
【特許文献１】特開平９−１７２９０１号公報
【特許文献２】特開２００１−２８６２３４号公報
【発明の開示】
【発明が解決しようとする課題】
【０００６】
しかしながら、特許文献１に記載の発明においては、一般に、気温の低下と共に日照時間が短くなる秋季から春季までは屋外において浮遊性微細藻類を繁殖させることが難しく、また、同様の理由により自然界の海水中における天然餌料（浮遊性微細藻類）の量も少なくなることから、この期間に養殖している二枚貝に十分な餌料を供給することは難しかった。
また、このような餌料の供給不足を補うため、温度や光の照射量等を管理することができる屋内において、二枚貝の餌料となる浮遊性微細藻類を培養することも可能であるが、このような設備の建設や維持には多大なコストがかかるため、費用対効果の観点から現実的ではないという課題もあった。
さらに、二枚貝に浮遊性微細藻類を餌料として与えながら培養した場合、二枚貝の殻長を一定以上の大きさに肥大成長させるのは極めて難しいという課題もあった。
【０００７】
また、上述の特許文献２に開示されるような方法においても、特許文献１に係る発明の場合と同様に、二枚貝に浮遊性微細藻類を餌料として与えた場合には、二枚貝の殻長を一定以上の大きさに肥大成長させるのは極めて難しいという課題があった。
また、屋内において二枚貝の餌料となる浮遊性微細藻類を安定的に、かつ必要量供給するには、やはり多大な費用と労力を要し、しかも、技術的な課題も多く費用対効果の観点から現実的ではないという課題があった。
【０００８】
本発明はかかる従来の事情に対処してなされたものであり、簡単な構成により四季を通じて確実に潜砂性二枚貝に餌料を供給することができ、しかも、潜砂性二枚貝を継続して肥大成長させることができる潜砂性二枚貝の養殖方法及びその装置を提供することにある。
【課題を解決するための手段】
【０００９】
請求項１に記載の発明である潜砂性二枚貝の養殖方法は、海水、淡水又は汽水中において、粒状体を敷設し、この粒状体の表面に付着性微細藻類を繁殖させ、粒状体内に潜砂性二枚貝を収容し、前記付着性微細藻類を餌料とすることを特徴とするものである。
上記構成の潜砂性二枚貝の養殖方法において、粒状体は潜砂性二枚貝を活性の高い状態で収容し、その表面において潜砂性二枚貝の餌料となる付着性微細藻類の繁殖の場を提供するという作用を有する。また、粒状体の表面において繁殖する付着性微細藻類は、夏季はもちろんのこと、日照の乏しい秋季から春季にかけても屋外で容易に繁殖させることができるので、このような付着性微細藻類を繁殖させて潜砂性二枚貝の餌料にすることで、通年で潜砂性二枚貝を肥大成長させるという作用を有する。
さらに、海水、淡水又は汽水と、粒状体の両者が相まって潜砂性二枚貝に生育に適した環境を提供するという作用を有する。
【００１０】
請求項２に記載の発明である潜砂性二枚貝の養殖方法は、請求項１に記載の潜砂性二枚貝の養殖方法であって、粒状体の深度は、前記潜砂性二枚貝の殻長の３倍〜５倍であることを特徴とするものである。
上記構成の潜砂性二枚貝の養殖方法は、請求項１に記載の発明と同じ作用に加え、潜砂性二枚貝を収容する粒状体の深度を殻長の３倍〜５倍にすることで、成長の著しい潜砂性二枚貝を確実に粒状体中に収容すると同時に、養殖中の潜砂性二枚貝に対する気温や地温の変化等に伴う外部環境からの影響を緩和するという作用を有する。
【００１１】
請求項３に記載の発明である潜砂性二枚貝の養殖方法は、請求項１又は請求項２に記載の潜砂性二枚貝の養殖方法であって、海水、淡水又は汽水の水深は、０．５ｃｍ〜５ｃｍの範囲内であることを特徴とするものである。
上記構成の潜砂性二枚貝の養殖方法は、請求項１又は請求項２に記載の発明の作用に加え、海水、淡水又は汽水の水深を０．５ｃｍ〜５ｃｍの範囲内とすることで、潜砂性二枚貝の養分等の摂取口及び排出口である水管を、水面下に確実に水没させるという作用を有する。
また、海水、淡水又は汽水の水深を０．５ｃｍ〜５ｃｍの範囲内とすることで、潜砂性二枚貝を肥大成長させるために使用する海水、淡水又は汽水の量を最小にするという作用を有する。
【００１２】
請求項４に記載の発明である潜砂性二枚貝の養殖方法は、請求項１乃至請求項３のいずれか１項に記載の潜砂性二枚貝の養殖方法であって、海水、淡水又は汽水の流速は、１ｃｍ／ｓ〜２５ｃｍ／ｓの範囲内であることを特徴とするものである。
上記構成の潜砂性二枚貝の養殖方法は、請求項１乃至請求項３に記載のそれぞれの発明の作用に加え、海水、淡水又は汽水の流速を１ｃｍ／ｓ〜２５ｃｍ／ｓの範囲内とすることで、潜砂性二枚貝を収容する粒状体及び、潜砂性二枚貝自体が水流により押し流されるのを妨げるという作用を有する。
また、粒状体の表面を流れる海水、淡水又は汽水の速度を上述のような範囲内にすることで、粒状体の表面において繁殖させた付着性微細藻類の一部を剥離して、養殖中の潜砂性二枚貝の水管へと運搬させるという作用を有する。
【００１３】
請求項５に記載の発明である潜砂性二枚貝の養殖方法は、請求項１乃至請求項４のいずれか１項に記載の潜砂性二枚貝の養殖方法であって、粒状体の表面に光を当てて、付着性微細藻類の繁殖を促進することを特徴とするものである。
上記構成の潜砂性二枚貝の養殖方法は、請求項１乃至請求項４に記載のそれぞれの発明の作用に加え、粒状体の表面に照射される光は付着性微細藻類の繁殖を促進するという作用を有する。
【００１４】
請求項６に記載の発明である潜砂性二枚貝の養殖装置は、上部開口の凹状部からなる収容部と、収容部の底に敷設され、潜砂性二枚貝を収容すると共に、前記潜砂性二枚貝の餌料となる付着性微細藻類を表面で繁殖させるための粒状体と、収容部に海水、淡水又は汽水を供給するための給水部と、海水、淡水又は汽水を排出するための排水部とを備えることを特徴とするものである。
上記構成の潜砂性二枚貝の養殖装置において、収容部は、潜砂性二枚貝と、それを収容する粒状体と、海水、淡水又は汽水を収容するという作用を有する。
また、粒状体は、潜砂性二枚貝を生育に適した状態で、すなわち、潜砂性二枚貝の活性を高めた状態で水中に収容すると同時に、その表面において潜砂性二枚貝の餌料となる付着性微細藻類を繁殖させるという作用を有する。
さらに、海水、淡水又は汽水は、粒状体と相まって収容部内に潜砂性二枚貝の肥大成長に適した場所を形成すると同時に、潜砂性二枚貝の生存に必要な酸素や栄養素等を供給するという作用を有する。
また、海水、淡水又は汽水中に含まれる付着性微細藻類は、四季を通じて粒状体の表面に着生して繁殖し、その一部が潜砂性二枚貝の餌料となり潜砂性二枚貝を肥大成長させるという作用を有する。
そして、給水部は収容部に海水、淡水又は汽水を連続的に供給するという作用を有し、排出部から海水、淡水又は汽水を排出することで、収容部内の水位を一定に保つという作用を有する。
【００１５】
請求項７に記載の発明である潜砂性二枚貝の養殖装置は、請求項６に記載の潜砂性二枚貝の養殖装置であって、収容部は、給水部から供給される海水、淡水又は汽水の水流を緩和するための緩衝壁を備えることを特徴とするものである。
上記構成の潜砂性二枚貝の養殖装置は、請求項６記載の発明と同じの作用に加え、収容部の緩衝壁は、給水部から供給される海水、淡水又は汽水の水流を緩和するという作用を有する。この結果、給水部近傍において粒状体中に収容される潜砂性二枚貝や、粒状体が海水、淡水又は汽水の水流により押し流されるのを妨げるという作用を有する。
【００１６】
請求項８に記載の発明である潜砂性二枚貝の養殖装置は、請求項６又は請求項７に記載の潜砂性二枚貝の養殖装置であって、給水部は、給水量調整手段を備え、収容部における前記海水、淡水又は汽水の水深を、潜砂性二枚貝の水管の上端が水面に露出しない０．５ｃｍ〜５ｃｍに調整可能であることを特徴とするものである。
上記構成の潜砂性二枚貝の養殖装置は、請求項６又は請求項７に記載のそれぞれの発明と同じ作用に加え、給水部に給水量調整手段を備えることで、収容部に必要以上の海水、淡水又は汽水が供給されたり、あるいは、収容部に供給される海水、淡水又は汽水の量が不足するのを妨げるという作用を有する。
また、海水、淡水又は汽水の水深を０．５ｃｍ〜５ｃｍに調整することで、潜砂性二枚貝の水管を確実に水面下に水没させるという作用を有する。
【００１７】
請求項９に記載の発明である潜砂性二枚貝の養殖装置は、請求項６乃至請求項８のいずれか１項に記載の潜砂性二枚貝の養殖装置であって、収容部は、浮遊性微細藻類又は付着性微細藻類を繁殖させる栄養塩類、あるいは、これらの組合せを前記海水、淡水又は汽水に供給するための供給設備を具備することを特徴とするものである。
上記構成の潜砂性二枚貝の養殖装置は、請求項６乃至請求項８のいずれか１項に記載のそれぞれの発明と同じ作用に加え、収容部は浮遊性微細藻類又は付着性微細藻類を繁殖させる栄養塩類あるいはこれらの組合せを供給するための供給設備を備えることで、たとえば、浮遊性微細藻類を供給した場合には、浮遊性微細藻類が潜砂性二枚貝の餌料となり肥大成長を促進するという作用を有する。
また、上述の供給設備により栄養塩類を供給した場合には、粒状体の表面に着生する付着性微細藻類の生育が促進されるという作用を有する。この結果、潜砂性二枚貝への付着性微細藻類の供給量が増え、潜砂性二枚貝の肥大成長が促進されるという作用を有する。
さらに、浮遊性微細藻類と栄養塩類の両方を供給した場合には、潜砂性二枚貝の肥大成長が一層促進されるという作用を有する。
【発明の効果】
【００１８】
これまで、潜砂性二枚貝の詳細な生態が明らかになっていなかったため、潜砂性二枚貝の稚貝を養殖して商品サイズにまで肥大成長させることは極めて困難であった。
そこで、本発明の請求項１に記載の潜砂性二枚貝の養殖方法において、粒状体内に潜砂性二枚貝を収容することで、潜砂性二枚貝を養殖する環境を、従来、潜砂性二枚貝が生息している環境に近づけることができ、これによって、養殖中の潜砂性二枚貝の活性を高めることができる。この結果、潜砂性二枚貝の肥大成長を促進させることができるという効果が発揮される。
また、粒状体の表面で繁殖させた付着性微細藻類を潜砂性二枚貝に与えることで、潜砂性二枚貝を長期間にわたり連続的に肥大成長させることができるという効果を有する。この結果、潜砂性二枚貝の稚貝を人工的に商品サイズにまで成長させることができるという効果を有する。
さらに、潜砂性二枚貝の飼育と、その餌料の供給を同時に行なうことが可能となり、潜砂性二枚貝の生産効率を高めることができるという効果を有する。
この結果、商品サイズの潜砂性二枚貝を容易に生産することができ、市場に潜砂性二枚貝を安価にかつ安定して供給することができるという効果を有する。
【００１９】
本発明の請求項２に記載の潜砂性二枚貝の養殖方法は、請求項１に記載の発明と同じ効果に加え、潜砂性二枚貝を、目的とする殻長の３倍〜５倍の深度を有する粒状体内に収容することで、稚貝が商品サイズにまで成長するまで間、潜砂性二枚貝の成育環境を変化させることなく養殖することができる。
また、目的とする殻長の３倍〜５倍の深度を有する粒状体内に潜砂性二枚貝を収容することで、屋外において潜砂性二枚貝を養殖する場合に、気温や地温の変化等による潜砂性二枚貝への影響を緩和することができるという効果も有する。
この結果、外部環境の変化に伴う潜砂性二枚貝へのストレスが低減され、潜砂性二枚貝の成長を促進することができるという効果が発揮される。
【００２０】
本発明の請求項３に記載の潜砂性二枚貝の養殖方法は、請求項１又は請求項２に記載の発明と同じ効果に加え、海水、淡水又は汽水の水深を０．５ｃｍ〜５ｃｍの範囲内とすることで、潜砂性二枚貝の生育や、その餌料となる付着性微細藻類の繁殖に必要な水深を確保しながら、潜砂性二枚貝を養殖する際に使用する海水、淡水又は汽水の供給量を最小にすることができるという効果を有する。
この結果、潜砂性二枚貝の生産効率が高まり、養殖に係るコストを低減できるという効果を有する。
よって、市場に安価に潜砂性二枚貝を供給できるという効果を有する。
【００２１】
本発明の請求項４に記載の潜砂性二枚貝の養殖方法は、請求項１乃至請求項３に記載のそれぞれの発明と同じ効果に加え、海水、淡水又は汽水の流速を、１ｃｍ／ｓ〜２５ｃｍ／ｓの範囲内とすることで、潜砂性二枚貝や、潜砂性二枚貝を収容する粒状体が海水、淡水又は汽水により押し流されてしまうのを防止することができる。
また、海水、淡水又は汽水が上述のような速度で粒状体上を流れることで、養殖中の潜砂性二枚貝の水管には常時に餌料が供給され、潜砂性二枚貝を肥大成長させることができるという効果を有する。
【００２２】
本発明の請求項５に記載の潜砂性二枚貝の養殖方法は、請求項１乃至請求項４に記載のそれぞれの発明と同じ効果に加え、粒状体の表面に光を照射することで、潜砂性二枚貝に供給される付着性微細藻類の量が増え、潜砂性二枚貝の生育を一層促進することができるという効果を有する。
【００２３】
本発明の請求項６に記載の潜砂性二枚貝の養殖装置は、請求項１に記載の発明を装置の発明として具体的な構成要素により示したしたものであり、請求項１に記載の発明と同様の効果を有する。
【００２４】
本発明の請求項７に記載の潜砂性二枚貝の養殖装置は、請求項６に記載の発明と同じ効果に加え、緩衝壁を備えることで大規模な潜砂性二枚貝の養殖装置を設置した場合でも、給水部近傍において粒状体や養殖中の潜砂性二枚貝が海水、淡水又は汽水により押し流される心配がない。このため、収容部の利用効率を高めることができる。
この結果、大規模な潜砂性二枚貝の養殖装置における生産効率を高めることができるという効果を有する。
【００２５】
本発明の請求項８に記載の潜砂性二枚貝の養殖装置は、請求項６又は請求項７に記載の発明と同じ効果に加え、請求項３に記載の発明と同じ効果を有する。
【００２６】
本発明の請求項９に記載の潜砂性二枚貝の養殖装置は、請求項６乃至請求項８に記載のそれぞれの発明と同じ効果に加え、収容部内に浮遊性微細藻類又は付着性微細藻類を繁殖させる栄養塩類あるいはこれらの組合せを供給することで、潜砂性二枚貝の生育を促進させることができるという効果を有する。
この結果、潜砂性二枚貝を所望のサイズに成長させるのに要する期間を短縮することができるという効果を有する。よって、潜砂性二枚貝の生産性を向上させることができるという効果が期待できる。
【発明を実施するための最良の形態】
【００２７】
従来、潜砂性二枚貝の生態の詳細については明らかになっていない部分が多く、人為的な環境下で養殖して潜砂性二枚貝の稚貝を商品サイズにまで成長させることは極めて困難であった。
しかしながら、発明者の鋭意研究の結果、海水、淡水又は汽水中において繁殖させた付着性微細藻類を潜砂性二枚貝に餌料として与えた場合に、潜砂性二枚貝を長期間継続して肥大成長させることができることを見出し、本願請求項１乃至請求項９に記載のそれぞれの発明に至った。
ここで本発明の最良の実施の形態に係る潜砂性二枚貝の養殖方法及び養殖装置の実施例について説明する。  
【実施例１】
【００２８】
以下に、本発明の実施例１に係る潜砂性二枚貝の養殖装置について図１及び図２を参照しながら詳細に説明する。（特に請求項１乃至請求項６及び請求項８に対応。）
【００２９】
図１（ａ）は本発明の実施例１に係る潜砂性二枚貝の養殖装置の概念図であり、（ｂ）は図１（ａ）中のＡ−Ａ線矢視断面図である。
図１（ａ），（ｂ）に示すように、本発明の実施例１に係る潜砂性二枚貝の養殖装置１ａは、上部開口を有する収容部２の底部に潜砂性二枚貝を収容するための粒状体３が敷設され、この収容部２の上流部側には給水部４が設けられており、給水口４ａから連続的に自然海水５が供給されるよう構成されるものである。
なお、本発明の実施例１の他、後述する実施例２及び３において、収容部２に供給される自然海水５には、海洋から取水された成分無調整の海水が用いられている。ただし、海洋から取水した際に海水中に含まれる大型の海藻等は予め除去している。また、自然海水５に代えて人工的に調整した海水を使用することも可能であり、その際には、潜砂性二枚貝の餌料となる付着性微細藻類や、その成長を促進するための栄養塩類を添加する必要がある。
また、収容部２内に供給する自然海水５は、養殖する潜砂性二枚貝が淡水性の場合には淡水を、汽水性の場合には汽水を用いる必要がある。そして、これらを人工的に調整して使用する場合には、やはり淡水又は汽水中に、潜砂性二枚貝の餌料となる付着性微細藻類や、その成長を促進するための栄養塩類を添加する必要がある。
そして、給水部４から供給された自然海水５は、収容部２内を移動して、すなわち、図１（ａ），（ｂ）中の符号Ｄで示す方向に流れて移動し、堰７が設けられた排水部６を越えて収容部２の外に排出される仕組みになっている。
なお、給水部４から供給される自然海水５の水温は、１０℃〜３０℃の範囲内であることが望ましい。これは、自然海水５の水温が１０℃よりも低い場合には、潜砂性二枚貝の生育速度が低下する傾向が認められ、また、水温が３０℃を超える場合には潜砂性二枚貝の生育速度だけでなく、生存にも影響が生じる可能性がある。従って、自然海水５の水温が、上述の範囲を超える場合には、自然海水５を予め加温あるいは冷却して用いることが望ましい。
【００３０】
また、実施例１に係る潜砂性二枚貝の養殖装置１ａにおいて、潜砂性二枚貝を収容する粒状体３の素材には、天然の海砂や山砂、または、合成樹脂製、セラミックス製、ガラス製、金属製等を使用することが可能である。あるいは、これらのうちの複数種類組み合わせて使用してもよい。
つまり、本実施例１において収容部２の底部に敷設する粒状体３は、自然の中で潜砂性二枚貝が生息する環境の砂と同じものであるか、あるいは、それに近似しているものであることが望ましく、より具体的には、粒状体３の粒径が０.００６３ｃｍ〜０.５ｃｍの範囲内であり、しかも、比重が海水又は淡水あるいは汽水よりも重く、かつ長期間海水又は淡水あるいは汽水中に晒しても容易に溶解したり変性しない材質であることが望ましい。この粒状体３の粒径の範囲の下限値と上限値は、例えばアサリ、ハマグリ、アカガイ、タイラギ、ミルクイ、ナミガイが生息している範囲の下限値と上限値であることが知られている。
【００３１】
図２は（ａ），（ｂ）はいずれも本発明の実施例１に係る潜砂性二枚貝の養殖装置の使用状態を示す部分断面図である。特に、図２（ａ）では実施例１に係る潜砂性二枚貝の養殖装置でアサリを養殖している様子を、図２（ｂ）ではミルクイを養殖している様子を示している。なお、図１に記載されたものと同一部分については同一符号を付し、その構成についての説明は省略する。
図２（ａ）に示すように、実施例１に係る潜砂性二枚貝の養殖装置１ａを用いて小型の潜砂性二枚貝の一種であるアサリ８を養殖する場合、アサリ８の水管８ａを上方に向けた状態で収容部２の底部に敷設された粒状体３内に収容し、自然海水５の水面から粒状体３の表面３ａまでの水深ΔＦが少なくとも０.５ｃｍ以上に保たれるよう、収容部２内に連続的に自然海水５を供給すればよい。
通常、海岸等の砂地に生息するアサリ８は、水管８ａの上端部分のみを砂地の表面に出して生息しており、この水管８ａの片方から栄養分を含む自然海水５を体内に取り込んで栄養分を摂取し、もう片方の水管８ａからは栄養物を摂取した後の不要な自然海水５を体外に排出している。そして、アサリ８やハマグリ、アカガイ、タイラギ、ミルクイ、ナミガイ等の潜砂性二枚貝は一般に、砂等の粒状体の内に完全に潜らせた状態で、水管を備える側を真上に配置した場合に生体の活力が最も高まる。
よって、実施例１に係る潜砂性二枚貝の養殖装置１ａにおいて収容部２内に粒状体３を備えることで、養殖対象の潜砂性二枚貝の活力を高めた状態で収容することができるので、潜砂性二枚貝の生育を促進させることができるという効果が期待できる。
特に、潜砂性二枚貝の養殖装置１ａによりアサリ８を養殖する場合は、粒状体３内に収容されるアサリ８の水管８ａの上端部分を、すなわち、粒状体３の表面３ａを自然海水５の水面下に水没させることで、栄養分をアサリ８に摂取させることができるのである。
【００３２】
従って、アサリ８のように粒状体３の表面３ａに僅かに管８ａを突出させて生息する潜砂性二枚貝を養殖する場合には、水管８ａの上端部分が自然海水５の水面上に露出しないよう、すなわち、粒状体３の表面までの水深を少なくとも０.５ｃｍ以上に保つことで、潜砂性二枚貝に確実に栄養分を供給できるという効果を有する。
その一方で、収容部２内に供給する自然海水５の量を、潜砂性二枚貝が栄養分を摂取するのに最低限度必要な量に調整することで、潜砂性二枚貝を養殖する際に使用する自然海水５の量を節約することができる。この結果、潜砂性二枚貝の養殖にかかるコストを削減できるという効果を有する。
また、図２（ｂ）に示すように、潜砂性二枚貝には、たとえば、ミルクイ１０のように水管１０ａを粒状体３の表面３ａ上に大きく突出させて生息するものもあり、この場合、潜砂性二枚貝（ミルクイ１０）の水管１０ａの上端部分を水面下に確実に水没させるためには、自然海水５の表面から粒状体３の表面３ａまでの水深ΔＧが５ｃｍ程度となるように、収容部２内に自然海水５を供給する必要がある。
従って、実施例１に係る潜砂性二枚貝の養殖装置１ａにおいて、養殖中の潜砂性二枚貝が栄養分を十分摂取できるような環境を保ちつつ、かつ養殖に必要な自然海水５を供給するのにかかるコストを最少にするためには、自然海水５の水面から粒状体３の表面３ａまでの水深を０.５ｃｍ〜５.０ｃｍの範囲内に保つことが望ましい。
さらに、自然海水５の水面から、粒状体３の表面３ａまでの水深を０.５ｃｍ〜５.０ｃｍの範囲内に保った場合、粒状体３の表面３ａから剥離した付着性微細藻類９が、つまり、潜砂性二枚貝の生育に必要な栄養分である付着性微細藻類９が自然海水５中に散逸しにくくなり、潜砂性二枚貝の餌料である付着性微細藻類９の摂取効率を高めることができる。この結果、潜砂性二枚貝の生育を促進することができるという効果が発揮されるのである。
なお、実施例１に係る潜砂性二枚貝の養殖装置１ａにおいては、図１に示す、排水部６における堰７の高さを調節することで、自然海水５の水面から粒状体３の表面３ａまでの水深を調整することができる。また、排水部６に堰７を設けない場合には、給水部４から収容部２に供給する自然海水５の量と、収容部２における給水部４側から排水部６に向う勾配を利用して自然海水５の水深を調節してもよい。
【００３３】
また、一般に生物にとって生育環境の急激な変化はストレスであり、生育を阻害する要因にもなる。よって、一旦移植した潜砂性二枚貝は、可能な限り同じ状態を維持して成長させることが望ましい。
よって、潜砂性二枚貝を同じ状態を維持したまま商品サイズにまで成長させるには、収容部２の底部に敷設される粒状体３の深度を（厚みを）、目的とする潜砂性二枚貝の殻長の３倍〜５倍程度にしておくことが望ましい。
これは、たとえば、潜砂性二枚貝を、殻長（殻の長径）が２ｃｍになるまで養殖する場合、収容部２の底部には、６ｃｍ〜１０ｃｍの厚さを有する粒状体３を確保する必要があることを意味している。
一般に、潜砂性二枚貝の大きさは、殻の最長径を意味する殻長、殻の短径を意味する殻高、そして殻の厚みを意味する殻幅により示されるのであるが、図２（ａ），（ｂ）にも示すように潜砂性二枚貝は、粒状体３中において殻長を鉛直方向と略一致させた状態で生息している。このため、本実施例においては粒状体３の深度を規定する際の基準に潜砂性二枚貝の殻長を使用している。
もちろん、粒状体３の深度が養殖対象となる潜砂性二枚貝の目的とする殻長の５倍以上であっても特に問題はないが、実施例１に係る潜砂性二枚貝の養殖装置１ａを設置する際に多量の粒状体３を準備する必要があり不経済である。
また、粒状体３の深度を、目的とする潜砂性二枚貝の殻長の３倍〜５倍程度確保した場合には、実施例１に係る潜砂性二枚貝の養殖装置１ａを屋外に設置した場合でも、気温や地温の変化に伴う潜砂性二枚貝への外部環境からの影響を十分緩和することができるという効果も期待できる。
なお、実施例１に係る潜砂性二枚貝の養殖装置１ａにおいて、比較的小型の潜砂性二枚貝であるアサリ８を養殖する場合には、粒状体３の深度は、目的とする殻長の３倍程度が確保されていればよく、また、比較的大型の潜砂性二枚貝であるミルクイ１０を養殖する場合には、粒状体３の深度は目的とする潜砂性二枚貝の殻長の５倍程度が確保されていればよい。
【００３４】
本発明の実施例１においては、潜砂性二枚貝の養殖装置１ａを屋外に設置し、自然海水５中において繁殖させた付着性微細藻類９を潜砂性二枚貝に餌料として供給することを特徴とするものである。
これまで、自然界において潜砂性二枚貝がどのようなものを栄養源にしているかについては不明な点が多く、潜砂性二枚貝を養殖する際には、繁殖が比較的容易な浮遊性微細藻類を潜砂性二枚貝の餌料として与えていた。
しかしながら、潜砂性二枚貝に浮遊性微細藻類を餌料として与え続けた場合、長期間にわたって潜砂性二枚貝を生存させることはできるものの、一定の大きさ以上に潜砂性二枚貝を肥大成長させることはできなかった。
これに対して、海水、淡水又は汽水中において繁殖させた付着性微細藻類９を潜砂性二枚貝に餌料として供給した場合には、潜砂性二枚貝を継続的に肥大成長させることができるという新規な効果が発揮される。
【００３５】
本発明の実施例１に係る潜砂性二枚貝の養殖装置１ａは、通常、屋外に設置されることを想定しており、収容部２には海洋から取水された自然海水５が、成分等の調整が一切なされないまま供給されている。ただし、自然海水５を取水する際に混入する大型の海藻類は予め取り除いてある。
そして、このような自然海水５中には天然の付着性微細藻類９が常時混入しており、収容部２内に供給されると、付着性微細藻類９の一部は粒状体３の表面３ａに自然に着生して図２中の符号Ｅで示す方向から照射される日光又は人工光を利用して光合成をおこないながら増殖する。
他方、実施例１に係る潜砂性二枚貝の養殖装置１ａは、給水部４と排水部６を備えており、収容部２には水の流れが生じている。
このため、粒状体３の表面３ａにおいて増殖した付着性微細藻類９の一部は、図２（ａ），（ｂ）中の符号Ｄで示される方向に流れる自然海水５によって引きちぎられ、潜砂性二枚貝の、アサリ８やミルクイ１０の水管８ａ，１０ａへと運ばれ、自然海水５と共に潜砂性二枚貝の体内に摂取されるのである。
【００３６】
従来、潜砂性二枚貝の餌料として利用されてきた浮遊性微細藻類は、餌料として供給する際の取扱いが容易であり、また、夏季に極めて高い増殖力を有するという利点を有する反面、秋季から春季の間は屋外での増殖が困難となり、それゆえ、潜砂性二枚貝を養殖する場合には、秋季から春季までの間の餌料の確保が重要な課題であった。
もちろん、屋内において人工照明等を用いて浮遊性微細藻類を大量に繁殖させ、潜砂性二枚貝に供給することも十分可能ではあるが、このような設備の維持や管理には莫大なコストがかかり、費用対効果の観点から現実的ではなかった。
これに対して、屋外の自然海水５中において繁殖する付着性微細藻類９は、季節ごとに優勢に繁殖する種が異なるものの、周年を通じて確実に繁殖させることができるという利点を有している。
つまり、春季には付着性微細藻類９の一種であるMelosira sppを、夏季にはPleurosigma sppを、秋季にはNitzschia sppを、冬季にはNavicula sppをそれぞれ優勢に繁殖させることができる。そして、これらのいずれも潜砂性二枚貝の餌料にすることができるので、付着性微細藻類９を潜砂性二枚貝の餌料にした場合には、周年を通じ安定して養殖中の潜砂性二枚貝に栄養分を供給できるという優れた効果が発揮されるのである。
この結果、潜砂性二枚貝の稚貝を人為的な環境下において、商品として流通できる大きさにまで肥大成長させることができるという極めて優れた効果が発揮される。
従って、水産資源として需要の高い潜砂性二枚貝を人為的な環境下で養殖して安価に大量に市場に供給することができるという優れた効果を期待できるのである。
また、潜砂性二枚貝の養殖を可能にすることは、天然の水産資源の保護にもつながり、環境保護の観点からも極めて有益である。
さらに、自然海水５の水面から、粒状体３の表面３ａまでの水深を０.５ｃｍ〜５.０ｃｍの範囲内に保った場合には、すなわち、自然海水５の水深を潜砂性二枚貝の生育に最低限必要な水深に保った場合には、粒状体３の表面３ａから剥離した付着性微細藻類９が自然海水５中に散逸しにくくなり、潜砂性二枚貝の餌料となる付着性微細藻類９の摂取効率を高めるという効果も期待できる。
よって、付着性微細藻類９を潜砂性二枚貝の餌料にすることと、自然海水５の水深を潜砂性二枚貝の生育に最低限必要な水深に保つことは、相互に関連しながら潜砂性二枚貝の生育促進に大きく寄与しているのである。
【００３７】
このように、実施例１に係る潜砂性二枚貝の養殖装置１ａによれば、粒状体３の表面において付着性微細藻類９を繁殖させることで、屋外においてコストをかけず、しかも容易に周年を通じて潜砂性二枚貝に餌料を供給できるという効果を有する。この結果、周年を通じて潜砂性二枚貝を継続的に肥大成長させることができるという独自の効果が発揮されるのである。
なお、実施例１に係る潜砂性二枚貝の養殖装置１ａを屋外に設置した場合で、日照が特に強い夏季においては、粒状体３の表面３ａに直射日光が当たると、付着性微細藻類９の繁殖力が低下することがあり、このような場合には、収容部２の上部に寒冷紗等を設けて、粒状体３の表面３ａに照射される光の一部を遮ってやるとよい。
また、実施例１に係る潜砂性二枚貝の養殖装置１ａにより潜砂性二枚貝を養殖する場合に、たとえば、蛍光灯やハロゲン灯、発光ダイオード、有機ＥＬ光等による照明設備を設けてもよい。この場合、自然の日照が得られない日没から日の出までの間、粒状体３の表面３ａに光を補うことができる。このように、粒状体３の表面３ａに人工光を照射することで、日照が得られない日没から日の出までの間も付着性微細藻類９の繁殖を促進させることができる。
この結果、潜砂性二枚貝に供給される単位時間当たりの餌料の量を増やすことができ、これによって、潜砂性二枚貝の成長効率を高めることが可能になる。
このため、潜砂性二枚貝を商品サイズにまで成長させるのに必要な時間を短縮することができ、潜砂性二枚貝の生育効率並びに生産効率を高めることができるという効果が期待できる。
【００３８】
また、実施例１に係る潜砂性二枚貝の養殖装置１ａにおいて、収容部２内を流れる自然海水５の流速が早すぎる場合には、自然海水５中の付着性微細藻類９が粒状体３の表面３ａに上手く着生できず付着性微細藻類９を十分に繁殖させることができなかったり、粒状体３や、粒状体３中の潜砂性二枚貝が流されてしまう等の不具合が生じる可能性がある。
逆に、収容部２内に十分な自然海水５の流れが形成されない場合には、自然海水５から潜砂性二枚貝に十分な酸素等が供給されなかったり、収容部２内に雑菌が繁殖するなどして養殖中の潜砂性二枚貝の病気の原因になったり、さらには、粒状体３の表面３ａにおいて繁殖した付着性微細藻類９の一部が、潜砂性二枚貝の水管に好適に運搬されず潜砂性二枚貝が栄養不足に陥ったりする可能性もある。
従って、上述のような事態を回避するため、収容部２内の自然海水５の流速は、１ｃｍ／ｓ〜２５ｃｍ／ｓの範囲内であることが望ましい。とりわけ、付着性微細藻類９を好適に繁殖させるためには、収容部２内の自然海水５の流速を８ｃｍ／ｓ〜１５ｃｍ／ｓの範囲内に保つことが望ましい。
なお、本実施例に係る潜砂性二枚貝の養殖装置１ａにおいては、図１の給水部４に、例えば、流量調整バルブや電磁弁等の図示しない給水量調節機構を備えることで、収容部２に送給される自然海水５の量を調節し、収容部２の粒状体３上を流れる自然海水５の流速が１ｃｍ／ｓ〜２５ｃｍ／ｓの範囲内となるよう、より好ましくは自然海水５の流速が８ｃｍ／ｓ〜１５ｃｍ／ｓの範囲内となるよう調整してもよい。
【００３９】
これまで、実施例１に係る潜砂性二枚貝の養殖装置１ａを屋外に設置することを前提に説明してきたが、実施例１に潜砂性二枚貝の養殖装置１ａは屋内に設置してもよく、この場合、付着性微細藻類９の繁殖に必要な光を補うために、粒状体３の表面３ａに、たとえば、蛍光灯やハロゲン灯、発光ダイオード、有機ＥＬ光等を用いて光を照射してもよい。
上述のように、実施例１に係る潜砂性二枚貝の養殖装置１ａを、屋内に設置した場合には、設備の維持管理にコストがかかるものの、例えば、ミルクイ１０などのように市場価値の高い潜砂性二枚貝を養殖する場合に、高い防犯効果が期待できる。
【実施例２】
【００４０】
以下に、本発明の実施例２に係る潜砂性二枚貝の養殖装置について図３を参照しながら詳細に説明する。（特に請求項７に対応。）
【００４１】
図３（ａ）は本発明の実施例２に係る潜砂性二枚貝の養殖装置の概念図であり、（ｂ）は図３（ａ）中のＢ−Ｂ線矢視断面図である。なお、図１又は図２に記載されたものと同一部分については同一符号を付し、その構成についての説明は省略する。なお、図１乃至図３に記載されたものと同一部分については同一符号を付し、その構成についての説明は省略する。
図３（ａ），（ｂ）に示すように、実施例２に係る潜砂性二枚貝の養殖装置１ｂは、上述の実施例１に係る潜砂性二枚貝の養殖装置１ａと同じ構成に加え、収容部２の給水口４ａ近傍に、緩衝壁１１を備えることを特徴とするものである。
このように、給水口４ａの近傍に緩衝壁１１を設けることで、給水口４ａから吐出される自然海水５の水流を緩和することができるという効果を有する。
この結果、給水口４ａの近傍において潜砂性二枚貝を収容するための粒状体３や、養殖中の潜砂性二枚貝が自然海水５の水流で押し流されたり、巻き上げられたりする心配がなく、収容部２内のスペースを有効に潜砂性二枚貝の養殖に使用することができるという効果を有する。
従って、特に、潜砂性二枚貝の養殖装置１ｂを大型にする場合や、収容部２を複数並設し、それぞれの収容部２に１箇所の給水部４から自然海水５を送給する場合には、収容部２に緩衝壁１１を設けることで、収容部２の空間の利用効率を高めることができるという効果を有する。この結果、潜砂性二枚貝の生産効率を高めることができるという効果が期待できる。
なお、図３中において緩衝壁１１は、収容部２の一部を仕切るように設けられているが、給水部４の給水口４ａ近傍に弧状の緩衝壁１１を設けてもよい。この場合、収容部２の空間を一層有効に使用できるという効果を有する。
【実施例３】
【００４２】
以下に、本発明の実施例３に係る潜砂性二枚貝の養殖装置にについて図４を参照しながら詳細に説明する。（特に請求項９に対応。）
【００４３】
図４は本発明の実施例３に係る潜砂性二枚貝の養殖装置の概念図である。なお、図１乃至図３に記載されたものと同一部分については同一符号を付し、その構成についての説明は省略する。
図４に示すように、実施例３に係る潜砂性二枚貝の養殖装置１ｃは、上述の実施例２に係る潜砂性二枚貝の養殖装置１ｂと同じ構成に加え、収容部２内に、たとえば、付着性微細藻類９の繁殖を促進するための栄養塩類や、潜砂性二枚貝の餌料となる浮遊性微細藻類、あるいはこれらの混合体からなる添加物を添加するための添加物供給設備１２を備えることを特徴とするものである。また、添加物供給設備１２は、上述の潜砂性二枚貝の養殖装置１ａに設けてもよい。
このような添加物供給設備１２は主に、図４に示すように、添加物を送給するための配管１３と、この配管１３上に、たとえば一定間隔ごとに接続されるヘッダー１４とにより構成されるものであり、配管１３内を図４中の符号Ｈで示す方向へ流れる添加物１６を、ヘッダー１４に穿設される吐出孔１５から収容部２内に連続的に又は断続的に添加することができるという効果を有する。
なお、図４に示す添加物供給設備１２では、ヘッダー１４の吐出孔１５から直接添加物１６が収容部２内に添加（注入）される仕組みになっているが、ヘッダー１４の吐出孔１５のそれぞれに、たとえば、図示しないバルブ等を設けて、収容部２への添加物の供給と停止を切替可能にしてもよい。
また、図示しないが、栄養塩類を供給するための添加物供給設備１２と、餌料としての浮遊性微細藻類を供給するための添加物供給設備１２とを別々に設け、栄養塩類や浮遊性微細藻類を単独で、あるいはこれらを同時に収容部２へと供給可能に構成してもよい。
【００４４】
このように、実施例３に係る潜砂性二枚貝の養殖装置１ｃにおいては、添加物供給設備１２を備えることで、海洋から取水される自然海水５に含まれる栄養塩類が乏しい場合や、あるいは、粒状体３の表面３ａに繁殖する付着性微細藻類９の生育を一層促進したい場合に、任意で収容部２内に栄養塩類を添加することができるという効果を有する。
この結果、粒状体３の表面３ａにおける付着性微細藻類９の繁殖力が増し、養殖中の潜砂性二枚貝に供給できる餌料の量を増やすことができるので、潜砂性二枚貝の成長速度を加速させることができる。従って、実施例３に係る潜砂性二枚貝の養殖装置１ｃの生産性を向上させることができるという効果が期待できる。
また、潜砂性二枚貝の成育を積極的に促進したい場合や、あるいは、自然海水５に代えて人工海水等を用いる場合に、添加物供給設備１２を用いて潜砂性二枚貝の餌料となる浮遊性微細藻類をオプションとして添加することも可能である。
特に夏季は、屋外において容易に浮遊性微細藻類を繁殖させることができるので、潜砂性二枚貝の養殖装置１ｃとは別に屋外に浮遊性微細藻類を繁殖させるための設備を設け、添加物供給設備１２により浮遊性微細藻類を収容部２内に供給することもできる。
この場合も、実施例３に係る潜砂性二枚貝の養殖装置１ｃの生産性を向上させることができるという効果が期待できる。
さらに、収容部２の自然海水５に栄養塩類と浮遊性微細藻類の両方を供給した場合には、潜砂性二枚貝の養殖装置１ｃの生産性を一層高めることができるという効果が期待できる。
【００４５】
最後に、本発明に係る潜砂性二枚貝の養殖装置を用いた試験結果について説明する。
図５は（ａ）はアサリの養殖試験に使用した潜砂性二枚貝の養殖装置の概念図であり、（ｂ）は図５（ａ）中のＣ−Ｃ線矢視断面図である。なお、図１乃至図４に記載されたものと同一部分については同一符号を付し、その構成についての説明は省略する。
図５（ａ），（ｂ）に示すように、本試験に用いた潜砂性二枚貝の養殖装置１ｄは、実施例２に係る潜砂性二枚貝の養殖装置１ｂにおける収容部２の長手方向中央に、仕切壁１７を設けて収容部２を二分割し、この二分割された収容部２の片方に遮光率１００％を有する遮光板１８を覆設したものである。
そして、上述のような潜砂性二枚貝の養殖装置１ｄを屋外に設置し、収容部２の底部には、中央粒径が０.０７ｃｍの粒状体３（山砂）を約５ｃｍの厚さに敷きつめ、その中に平均殻長３.５ｍｍのアサリ８を潜らせて収容した。
また、本試験に用いた潜砂性二枚貝の養殖装置１ｄには、自然海水５を粒状体３の表面３ａにおける流速が１０ｃｍ／ｓとなるように給水口４ａから連続的に供給した。
なお、アサリ８の飼育試験は、平成１４年９月６日から平成１４年１１月８日までの６２日間行なった。
【００４６】
図６はアサリの飼育試験装置において、収容部に遮光板を覆設した側と、遮光板を覆設しない側のそれぞれの粒状体表面における植物色素量（クロロフィルａ）の測定結果を示すグラフである。
なお、上述のような潜砂性二枚貝の養殖装置１ｄにおいて、粒状体３の表面３ａにおける植物色素量の測定は、以下に示す手順に従っておこなった。
まず、内径４ｃｍのコアサンプラーを用いて表面３ａから深さ２ｃｍまでの粒状体３を、収容部２に遮光板１８を覆設した側と、遮光板１８を覆設しない側のそれぞれにおいて各３箇所づつ採取し、これらのサンプルを併せて１回の分析用試料とした。
次に、上述のような手順に従って採取した分析用試料の一部をフラスコに移して蒸留水を加え、スターラーでよく攪拌した後に、孔径０．４５μｍのメンブレンフィルターで濾過し、フィルター上に残った残渣を海洋観測指針（気象庁）記載の吸光光度法に準じ、分光光度計（島津製作所（株）UV-160）により植物色素量（μｇ／ｇ乾泥）の測定をおこなった。
図６に示すように、潜砂性二枚貝の養殖装置１ｄにおいて遮光板１８を覆設しない側では、遮光板１８を覆設した側に比べて、６２日間の飼育期間を通じて、約２倍〜４倍の植物色素が検出された。
また、潜砂性二枚貝の養殖装置１ｄにおいて遮光板１８を覆設しない側、遮光板１８を覆設した側のそれぞれについて、実体顕微鏡を用いて粒状体３の表面３ａを観察したところ、遮光板１８を覆設しない側では、付着性微細藻類９であるNizschia sppや、Pleurosigma sppの繁殖が認められたが、遮光板１８を覆設した側では付着性微細藻類９の繁殖がほとんど認められなかった。
よって、遮光板１８を覆設した側において検出された植物色素は、自然海水５中に含まれる浮遊性微細藻類や、その死骸が沈殿して堆積したものであると考えられる。
従って、潜砂性二枚貝の養殖装置１ｄにおいて、粒状体３の表面３ａに光を照射した場合、粒状体３の表面３ａに付着性微細藻類９を繁殖させることができるといえる。
【００４７】
また、図７はアサリの飼育試験装置において、収容部に遮光板を覆設した側と、遮光板を覆設しない側のそれぞれにおいて飼育したアサリの殻長の測定結果を示すグラフである。
図６に示すように、上述のような潜砂性二枚貝の養殖装置１ｄにおいてアサリ８を６２日間飼育したところ、遮光板１８を覆設した側では、当初、殻長が３.５ｍｍだったアサリ８の殻長が４.８ｍｍになった。また、遮光板１８を覆設しない側では、当初、殻長が３.５ｍｍだったアサリ８の殻長は７.３ｍｍになった。
この結果から、遮光板１８を覆設しない側では、アサリ８の大幅な成長が認められた。なお、遮光板１８を覆設した側のアサリは、主に自然海水５中に含まれる浮遊性微細藻類のみを摂取していたものと考えられる。
また、上述のような結果に基づいてアサリ８の日間成長率を算出したところ、遮光板１８を覆設した側では０.０２ｍｍ／ｄａｙであったのに対して、遮光板１８を覆設しない側では０.０６ｍｍ／ｄａｙとなり、遮光板１８を覆設した側に比べてアサリ８の日間成長率が３倍も高かった。
したがって、潜砂性二枚貝に付着性微細藻類９を餌料として供給することで、潜砂性二枚貝を肥大成長させることができるという効果が発揮される。
なお、その後、継続してアサリ８を同じ条件下において飼育し続けたところ、平成１５年７月１４日の時点（飼育開始から３１１日経過）で、当初、殻長が３．５ｍｍだったアサリ８の殻長は１４．４ｍｍにまで成長した。
さらに、その後、付着性微細藻類９の繁殖を促進するための栄養塩類及び潜砂性二枚貝の餌料となる浮遊性微細藻類の混合物からなる添加物を添加しながら継続してアサリ８を飼育し続けたところ、平成１６年９月８日の時点（飼育開始から７３３日経過）で、当初、殻長が３．５ｍｍだったアサリ８の殻長は２８．３ｍｍにまで成長した。
【産業上の利用可能性】
【００４８】
以上説明したように、本発明の請求項１乃至請求項９に記載された発明は、陸上において潜砂性二枚貝の養殖を可能にする方法及びその装置に関するものであり、海水、淡水又は汽水域に生息する潜砂性二枚貝である、たとえば、アサリ、ハマグリ、アカガイ、タイラギ、ミルクイ、ナミガイ、オオノガイ、マテガイ、バカガイ、ウチムラサキ、シジミ等の養殖の分野において利用可能である。
【図面の簡単な説明】
【００４９】
【図１】（ａ）は本発明の実施例１に係る潜砂性二枚貝の養殖装置の概念図であり、（ｂ）は図１（ａ）中のＡ−Ａ線矢視断面図である。
【図２】（ａ），（ｂ）はいずれも本発明の実施例１に係る潜砂性二枚貝の養殖装置による養殖の様子を示す部分断面図である。
【図３】（ａ）本発明の実施例２に係る潜砂性二枚貝の養殖装置の概念図であり、（ｂ）は図１（ａ）中のＢ−Ｂ線矢視断面図である。
【図４】本発明の実施例３に係る潜砂性二枚貝の養殖装置の概念図である。
【図５】（ａ）はアサリの養殖試験に使用した潜砂性二枚貝の養殖装置の概念図であり、（ｂ）は図５（ａ）中のＣ−Ｃ線矢視断面図である。
【図６】アサリの飼育試験装置において、収容部に遮光板を覆設した側と、遮光板を覆設しない側のそれぞれの粒状体表面における植物色素量の測定結果を示すグラフである。
【図７】アサリの飼育試験装置において、収容部に遮光板を覆設した側と、遮光板を覆設しない側のそれぞれにおいて飼育したアサリの殻長の測定結果を示すグラフである。
【符号の説明】
【００５０】
１ａ〜１ｄ…潜砂性二枚貝の養殖装置  ２…収容部  ３…粒状体  ３ａ…表面  ４…給水部  ４ａ…給水口  ５…自然海水  ６…排水部  ７…堰  ８…アサリ（潜砂性二枚貝）  ８ａ…水管  ９…付着性微細藻類  １０…ミルクイ（潜砂性二枚貝）  １０ａ…水管  １１…緩衝壁  １２…添加物供給設備  １３…配管  １４…ヘッダー  １５…吐出孔  １６…添加物  １７…仕切壁  １８…遮光板
【図１】
2008092901.tif 000003
【図２】
2008092901.tif 000004
【図３】
2008092901.tif 000005
【図４】
2008092901.tif 000006
【図５】
2008092901.tif 000007
【図６】
2008092901.tif 000008
【図７】
2008092901.tif 000009
【手続補正書】
【提出日】平成19年3月15日(2007.3.15)
【手続補正１】
【補正対象書類名】特許請求の範囲
【補正対象項目名】全文
【補正方法】変更
【補正の内容】
【特許請求の範囲】
【請求項１】
海水、淡水又は汽水中において、粒状体を敷設し、この粒状体の表面に付着性微細藻類を繁殖させ、前記粒状体内に潜砂性二枚貝を収容し、前記粒状体の表面において繁殖させた前記付着性微細藻類を前記潜砂性二枚貝の餌料にすることで、前記潜砂性二枚貝の飼育とその餌料の繁殖を同時に行うことを特徴とする潜砂性二枚貝の養殖方法。
【請求項２】
前記粒状体の深度は、前記潜砂性二枚貝の殻長の３倍〜５倍であることを特徴とする請求項１に記載の潜砂性二枚貝の養殖方法。
【請求項３】
前記海水、淡水又は汽水の水深は、０．５ｃｍ〜５ｃｍの範囲内であることを特徴とする請求項１又は請求項２に記載の潜砂性二枚貝の養殖方法。
【請求項４】
前記海水、淡水又は汽水の流速は、１ｃｍ／ｓ〜２５ｃｍ／ｓの範囲内であることを特徴とする請求項１乃至請求項３のいずれか１項に記載の潜砂性二枚貝の養殖方法。
【請求項５】
前記粒状体の表面に光を当てて、前記付着性微細藻類の繁殖を促進することを特徴とする請求項１乃至請求項４のいずれか１項に記載の潜砂性二枚貝の養殖方法。
【請求項６】
上部開口の凹状部からなる収容部と、前記収容部の底に敷設され、潜砂性二枚貝を収容すると共に、前記潜砂性二枚貝の餌料となる付着性微細藻類を表面で繁殖させるための粒状体と、前記収容部に海水、淡水又は汽水を供給するための給水部と、前記海水、淡水又は汽水を排出するための排水部とを備え、前記潜砂性二枚貝の飼育とその餌料の繁殖を同時に行うことを特徴とする潜砂性二枚貝の養殖装置。
【請求項７】
前記収容部は、前記給水部から供給される海水、淡水又は汽水の水流を緩和するための緩衝壁を備えることを特徴とする請求項６に記載の潜砂性二枚貝の養殖装置。
【請求項８】
前記給水部は、給水量調整手段を備え、前記収容部における前記海水、淡水又は汽水の水深を、潜砂性二枚貝の水管の上端が水面に露出しない０．５ｃｍ〜５ｃｍに調整可能であることを特徴とする請求項６又は請求項７に記載の潜砂性二枚貝の養殖装置。
【請求項９】
前記収容部は、浮遊性微細藻類又は付着性微細藻類を繁殖させる栄養塩類あるいはこれらの組合せを前記海水、淡水又は汽水に供給するための供給設備を具備することを特徴とする請求項６乃至請求項８のいずれか１項に記載の潜砂性二枚貝の養殖装置。
【手続補正２】
【補正対象書類名】明細書
【補正対象項目名】０００９
【補正方法】変更
【補正の内容】
【０００９】
請求項１に記載の発明である潜砂性二枚貝の養殖方法は、海水、淡水又は汽水中において、粒状体を敷設し、この粒状体の表面に付着性微細藻類を繁殖させ、粒状体内に潜砂性二枚貝を収容し、粒状体の表面において繁殖させた付着性微細藻類を潜砂性二枚貝の餌料にすることで、前記潜砂性二枚貝の飼育とその餌料の繁殖を同時に行うことを特徴とするものである。
上記構成の潜砂性二枚貝の養殖方法において、粒状体は潜砂性二枚貝を活性の高い状態で収容し、その表面において潜砂性二枚貝の餌料となる付着性微細藻類の繁殖の場を提供するという作用を有する。また、粒状体の表面において繁殖する付着性微細藻類は、夏季はもちろんのこと、日照の乏しい秋季から春季にかけても屋外で容易に繁殖させることができるので、このような付着性微細藻類を繁殖させて潜砂性二枚貝の餌料にすることで、通年で潜砂性二枚貝を肥大成長させるという作用を有する。
さらに、海水、淡水又は汽水と、粒状体の両者が相まって潜砂性二枚貝の生育に適した環境を提供するという作用を有する。
【手続補正３】
【補正対象書類名】明細書
【補正対象項目名】００１４
【補正方法】変更
【補正の内容】
【００１４】
請求項６に記載の発明である潜砂性二枚貝の養殖装置は、上部開口の凹状部からなる収容部と、収容部の底に敷設され、潜砂性二枚貝を収容すると共に、潜砂性二枚貝の餌料となる付着性微細藻類を表面で繁殖させるための粒状体と、収容部に海水、淡水又は汽水を供給するための給水部と、海水、淡水又は汽水を排出するための排水部とを備え、前記潜砂性二枚貝の飼育とその餌料の繁殖を同時に行うことを特徴とするものである。
上記構成の潜砂性二枚貝の養殖装置において、収容部は、潜砂性二枚貝と、それを収容する粒状体と、海水、淡水又は汽水を収容するという作用を有する。
また、粒状体は、潜砂性二枚貝を生育に適した状態で、すなわち、潜砂性二枚貝の活性を高めた状態で水中に収容すると同時に、その表面において潜砂性二枚貝の餌料となる付着性微細藻類を繁殖させるという作用を有する。
さらに、海水、淡水又は汽水は、粒状体と相まって収容部内に潜砂性二枚貝の肥大成長に適した場所を形成すると同時に、潜砂性二枚貝の生存に必要な酸素や栄養素等を供給するという作用を有する。
また、海水、淡水又は汽水中に含まれる付着性微細藻類は、四季を通じて粒状体の表面に着生して繁殖し、その一部が潜砂性二枚貝の餌料となり潜砂性二枚貝を肥大成長させるという作用を有する。
そして、給水部は収容部に海水、淡水又は汽水を連続的に供給するという作用を有し、排出部から海水、淡水又は汽水を排出することで、収容部内の水位を一定に保つという作用を有する。
【手続補正書】
【提出日】平成19年9月7日(2007.9.7)
【手続補正１】
【補正対象書類名】特許請求の範囲
【補正対象項目名】全文
【補正方法】変更
【補正の内容】
【特許請求の範囲】
【請求項１】
海水、淡水又は汽水中において、粒状体を敷設し、この粒状体の表面に付着性微細藻類を繁殖させ、潜砂性二枚貝を、その水管が水面側となるように前記粒状体の内部に潜入させた状態で収容し、前記粒状体の表面において繁殖させた前記付着性微細藻類を水流により剥離させ、剥離した前記付着性微細藻類を前記水流により、前記粒状体の内部に潜入した前記潜砂性二枚貝の前記水面側に伸ばした前記水管に運搬して前記潜砂性二枚貝の餌料にすることで、前記潜砂性二枚貝の飼育とその餌料の繁殖を同時に行うことを特徴とする潜砂性二枚貝の養殖方法。
【請求項２】
前記粒状体の深度は、前記潜砂性二枚貝の殻長の３倍〜５倍であることを特徴とする請求項１に記載の潜砂性二枚貝の養殖方法。
【請求項３】
前記海水、淡水又は汽水の水深は、０．５ｃｍ〜５ｃｍの範囲内であることを特徴とする請求項１又は請求項２に記載の潜砂性二枚貝の養殖方法。
【請求項４】
前記海水、淡水又は汽水の流速は、１ｃｍ／ｓ〜２５ｃｍ／ｓの範囲内であることを特徴とする請求項１乃至請求項３のいずれか１項に記載の潜砂性二枚貝の養殖方法。
【請求項５】
前記粒状体の表面に光を当てて、前記付着性微細藻類の繁殖を促進することを特徴とする請求項１乃至請求項４のいずれか１項に記載の潜砂性二枚貝の養殖方法。
【手続補正３】
【補正対象書類名】明細書
【補正対象項目名】０００１
【補正方法】変更
【補正の内容】
【０００１】
本発明は、陸上における潜砂性二枚貝の養殖方法に関する。
【手続補正４】
【補正対象書類名】明細書
【補正対象項目名】０００８
【補正方法】変更
【補正の内容】
【０００８】
本発明はかかる従来の事情に対処してなされたものであり、簡単な構成により四季を通じて確実に潜砂性二枚貝に餌料を供給することができ、しかも、潜砂性二枚貝を継続して肥大成長させることができる潜砂性二枚貝の養殖方法を提供することにある。
【手続補正５】
【補正対象書類名】明細書
【補正対象項目名】０００９
【補正方法】変更
【補正の内容】
【０００９】
請求項１に記載の発明である潜砂性二枚貝の養殖方法は、海水、淡水又は汽水中において、粒状体を敷設し、この粒状体の表面に付着性微細藻類を繁殖させ、潜砂性二枚貝を、その水管が水面側となるように粒状体の内部に潜入させた状態で収容し、粒状体の表面において繁殖させた付着性微細藻類を水流により剥離させ、剥離した付着性微細藻類を水流により、粒状体の内部に潜入した前記潜砂性二枚貝の水面側に伸ばした水管に運搬して前記潜砂性二枚貝の餌料にすることで、前記潜砂性二枚貝の飼育とその餌料の繁殖を同時に行うことを特徴とするものである。
上記構成の潜砂性二枚貝の養殖方法において、粒状体は潜砂性二枚貝を活性の高い状態で収容し、その表面において潜砂性二枚貝の餌料となる付着性微細藻類の繁殖の場を提供するという作用を有する。また、粒状体の表面において繁殖する付着性微細藻類は、夏季はもちろんのこと、日照の乏しい秋季から春季にかけても屋外で容易に繁殖させることができるので、このような付着性微細藻類を繁殖させて潜砂性二枚貝の餌料にすることで、通年で潜砂性二枚貝を肥大成長させるという作用を有する。
さらに、海水、淡水又は汽水と、粒状体の両者が相まって潜砂性二枚貝の生育に適した環境を提供するという作用を有する。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】変更
【補正の内容】
【００２７】
従来、潜砂性二枚貝の生態の詳細については明らかになっていない部分が多く、人為的な環境下で養殖して潜砂性二枚貝の稚貝を商品サイズにまで成長させることは極めて困難であった。
しかしながら、発明者の鋭意研究の結果、海水、淡水又は汽水中において繁殖させた付着性微細藻類を潜砂性二枚貝に餌料として与えた場合に、潜砂性二枚貝を長期間継続して肥大成長させることができることを見出し、本願請求項１乃至請求項５に記載のそれぞれの発明に至った。
ここで本発明の最良の実施の形態に係る潜砂性二枚貝の養殖方法及び養殖装置の実施例について説明する。
【手続補正１５】
【補正対象書類名】明細書
【補正対象項目名】００２８
【補正方法】変更
【補正の内容】
【００２８】
以下に、本発明の実施例１に係る潜砂性二枚貝の養殖装置について図１及び図２を参照しながら詳細に説明する。（特に請求項１乃至請求項５に対応。）
【手続補正１６】
【補正対象書類名】明細書
【補正対象項目名】００４０
【補正方法】変更
【補正の内容】
【００４０】
以下に、本発明の実施例２に係る潜砂性二枚貝の養殖装置について図３を参照しながら詳細に説明する。
【手続補正１７】
【補正対象書類名】明細書
【補正対象項目名】００４２
【補正方法】変更
【補正の内容】
【００４２】
以下に、本発明の実施例３に係る潜砂性二枚貝の養殖装置にについて図４を参照しながら詳細に説明する。
【手続補正１８】
【補正対象書類名】明細書
【補正対象項目名】００４８
【補正方法】変更
【補正の内容】
【００４８】
以上説明したように、本発明の請求項１乃至請求項５に記載された発明は、陸上において潜砂性二枚貝の養殖を可能にする方法及びその装置に関するものであり、海水、淡水又は汽水域に生息する潜砂性二枚貝である、たとえば、アサリ、ハマグリ、アカガイ、タイラギ、ミルクイ、ナミガイ、オオノガイ、マテガイ、バカガイ、ウチムラサキ、シジミ等の養殖の分野において利用可能である。